(57)【要約】 【課題】玉葱やじゃがいも、ニンニク、生姜等の根菜類や、リンゴや梨等の果物類等を、通気性を確保して良好に保存できると共に、これらを収納した状態でこれを個性的な室内インテリアとしても使用できるネット状収納袋を提供する。【解決手段】ネット状の袋本体３の上端部分に吊り紐２０ａが取り付けられている。袋本体３は、筒状体４の上下が丸結びされる等によって封止されて収納袋８が形成されている。収納袋８の周面部５の上側部分に位置させて、玉葱等を収納袋８内に入れるための収納用のスリット部７が設けられている。周面部５の下側部分に位置させて、収納されている玉葱等を収納袋８から取り出すための取出用のスリット部１０が設けられている。取出用のスリット部１０の上下方向中央部位相互はホック１３ａで着脱可能に止着される。【選択図】図１
0003135958.tif 000002
【実用新案登録請求の範囲】
【請求項１】
上下に長く形成され、且つ、上端で吊下状態で使用されるネット状収納袋であって、物品を上下方向一列の積重状態で収納させる筒状を呈するネット状の袋本体を用いて構成されており、該袋本体は、筒状体の上下が封止されて収納袋が形成されると共に該収納袋の周面部の上側部分に位置させて、該収納袋内に物品を収納するための入れ口を形成する、拡開可能の収納用のスリット部が設けられ、該周面部の下側部分に位置させて、該収納袋から物品を取り出すための取り出し口を形成する、拡開可能の取出用のスリット部が設けられていることを特徴とするネット状収納袋。
【請求項２】
前記収納袋の周面部の正面側の部分に、収納される物品を表示する文字や図形が付されると共に、該周面部の背面側の部分に、前記収納用のスリット部と前記取出用のスリット部が設けられていることを特徴とする請求項１記載のネット状収納袋。
【請求項３】
前記収納用のスリット部と前記取出用のスリット部が、前記収納袋の周面部の周方向で位置をずらして設けられていることを特徴とする請求項１又は２記載のネット状収納袋。
【請求項４】
上下に長く形成され、且つ、上端で吊下状態で使用されるネット状収納袋であって、物品を上下方向一列の積重状態で収納させる筒状を呈するネット状の袋本体を用いて構成され、該袋本体は、一枚のレース編地からなる収納袋形成片を用いてなり、
該収納袋形成片は、上下対称の外形を呈し、中間部の上下端に上部分と下部分が連設されてなる本体片を有し、該上部分は、上端に向けて先細化し、該上端は、左右方向に直線状を呈する水平縁とされ、該上部分の左右の側縁は傾斜縁として形成されると共に、該下部分は、下端に向けて先細化し、該下端は、左右方向に直線状を呈する水平縁とされ、該下部分の左右の側縁は傾斜縁として形成されており、前記本体片の左右の本体側縁の内の一方の本体側縁寄りの上側部分に位置させて、上下に長い収納用のスリット部が設けられると共に、左右の本体側縁の内の他方の本体側縁寄りの下側部分に位置させて、上下に長い取出用のスリット部が設けられており、
前記袋本体は、該収納袋形成片の左右の側縁部分相互が縫製されることによって形成された筒状体の上下が封止されて収納袋が形成され、該収納袋の周面部の上側部分に位置させて、該収納袋内に物品を収納するための入れ口を形成する、拡開可能の前記収納用のスリット部が配置され、該周面部の下側部分に位置させて、該収納袋から物品を取り出すための取り出し口を形成する、拡開可能の前記取出用のスリット部が配置されていることを特徴とするネット状収納袋。
【請求項５】
前記取出用のスリット部の上下方向の少なくとも中央部位相互が止着具で着脱可能に止着されることを特徴とする請求項１、２、３又は４記載のネット状収納袋。
【請求項６】
前記取出用のスリット部は、開口縁部の全体が、厚地編部からなる縁取面部で縁取られると共に、該厚地編部は、その左右対向する縁部分の上下方向中央部位で、該取出用のスリット部の外側に向けて膨出する膨出面部が形成され、該膨出面部と前記縁取面部とからなる取り付け面部が設けられており、左右の取り付け面部の何れか一方の外面と他方の内面に、該外面の範囲と該内面の範囲に納まるように、ホックを構成する雄ホック片、雌ホック片が固定されていることを特徴とする請求項４記載のネット状収納袋。
【請求項７】
前記筒状体の上下の封止は、該筒状体の上の部分と下の部分が夫々結ばれることによって行われていることを特徴とする請求項４記載のネット状収納袋。
【請求項８】
前記袋本体の上端部分に吊下用係合部が設けられていることを特徴とする請求項１又は４記載のネット状収納袋。
【請求項９】
前記袋本体の上端部分に、吊り紐としての吊下用係合部が設けられていることを特徴とする請求項１又は４記載のネット状収納袋。
【請求項１０】
一枚のレース編地片からなり、上下対称の外形を呈し、中間部の上下端に上部分と下部分が連設されてなる本体片を有し、該上部分は、上端に向けて先細化し、該上端は、左右方向に直線状を呈する水平縁とされ、該上部分の左右の側縁は傾斜縁として形成されると共に、該下部分は、下端に向けて先細化し、該下端は、左右方向に直線状を呈する水平縁とされ、該下部分の左右の側縁は傾斜縁として形成されており、前記本体片の左右の本体側縁の内の一方の本体側縁寄りの上側部分に位置させて、上下に長い収納用のスリット部が設けられると共に、左右の本体側縁の内の他方の本体側縁寄りの下側部分に位置させて、上下に長い取出用のスリット部が設けられていることを特徴とする収納袋形成片。
【考案の詳細な説明】
【技術分野】
【０００１】
本考案は、玉葱やじゃがいも、ニンニク、生姜等の根菜類、リンゴや梨等の果物類、更には小物類等を、インテリア性をもたせて吊り下げ状態で保存するために用いるネット状収納袋に関するものである。又、該ネット状収納袋を体裁よく能率的に製造するために用いる収納袋形成片に関するものである。
【背景技術】
【０００２】
玉葱やじゃがいも、ニンニク、生姜等の根菜類、リンゴや梨等の果物類を一般家庭で保存する場合、これらをダンボール箱や籠、ビニール袋等に収納して保存することが一般的に行なわれているが、これらによる保存状態は、通気性が悪いばかりか、下側に位置しているものは、上から押さえ付けられるために傷みやすかった。又、その保存状態を目視で確認しずらいために傷みが進行し易かった。
【０００３】
そこで、例えば玉葱等の根菜類ａを保存する場合、図２１に示すように、根菜類ａをネット袋ｂに収納し、これを風通しのよい日陰に吊すことが行なわれていた。又、保存時における青果物の傷みを抑制せんとして、特開平６−１９９３８５号公報が開示するような孔明きの青果物保存用袋が提案されている。該青果物保存用袋は、多数の小孔が設けられてなる有孔複合フイルムを用いて形成された袋の上部開口部を、ジッパー等の口部開閉機構で密封する構成を有しており、その袋内にリンゴや梨等の果実や玉葱、人参等の青果物を入れて密閉し、これを冷蔵庫等で保存するものであった。
【０００４】
しかしながら、このようなネット袋や青果物保存用袋を用いる従来の保存方法にあっては、収納した根菜類等を取り出す際は、袋の上部開口部を開いて取り出すことから、袋の下側に位置しているものは取り出しにくいので上側のものから順次取り出すことになり勝ちであった。そのため、下側のものは傷み易い問題があった。
【０００５】
加えて、従来のネット袋によるときは、根菜類を収納したときに該ネット袋ｂが図２１に示すように横に大きく膨れた塊状態となって見栄えが悪かった。又、前記青果物保存用袋は、根菜類等を保存するという機能一点張りのものであった。このように、従来のネット袋や青果物保存用袋は、根菜類等が収納された状態のものを室内インテリアとして飾るなどということは到底考えらなかった。
【特許文献１】特開平６−１９９３８５号公報
【考案の開示】
【考案が解決しようとする課題】
【０００６】
本考案は前記従来の問題点に鑑みて開発されたものであり、根菜類や果物類、小物類等の物品を収納してこれを吊り下げ状態で良好に保存できると共に、その収納や取り出しに際しては、上から入れて下から取り出すという合理的な収納、取り出しが可能であり、然も、物品を収納した状態でこれを室内インテリアとしても活用し得るネット状収納袋の提供を課題とするものである。
【課題を解決するための手段】
【０００７】
前記課題を解決するため本考案は以下の手段を採用する。
即ち本考案に係るネット状収納袋は、上下に長く形成され、且つ、上端で吊下状態で使用されるネット状収納袋であって、物品を上下方向一列の積重状態で収納させる筒状を呈するネット状の袋本体を用いて構成されており、該袋本体は、筒状体の上下が封止されて収納袋が形成されると共に該収納袋の周面部の上側部分に位置させて、該収納袋内に物品を収納するための入れ口を形成する、拡開可能の収納用のスリット部が設けられ、該周面部の下側部分に位置させて、該収納袋から物品を取り出すための取り出し口を形成する、拡開可能の取出用のスリット部が設けられていることを特徴とするものである。
【０００８】
前記ネット状収納袋において、前記収納袋の周面部の正面側の部分に、収納される物品を表示する文字や図形を付すと共に、該周面部の背面側の部分に、前記収納用のスリット部と前記取出用のスリット部を設けるのがよい。又、前記ネット状収納袋において、前記収納用のスリット部と前記取出用のスリット部を、前記収納袋の周面部の周方向で位置をずらして設けるのがよい。
【０００９】
本考案に係るネット状収納袋のより好ましい態様は、上下に長く形成され、且つ、上端で吊下状態で使用されるネット状収納袋であって、物品を上下方向一列の積重状態で収納させる筒状を呈するネット状の袋本体を用いて構成され、該袋本体は、一枚のレース編地からなる収納袋形成片を用いてなる。該収納袋形成片は、上下対称の外形を呈し、中間部の上下端に上部分と下部分が連設されてなる本体片を有し、該上部分は、上端に向けて先細化し、該上端は、左右方向に直線状を呈する水平縁とされ、該上部分の左右の側縁は傾斜縁として形成されると共に、該下部分は、下端に向けて先細化し、該下端は、左右方向に直線状を呈する水平縁とされ、該下部分の左右の側縁は傾斜縁として形成されており、前記本体片の左右の本体側縁の内の一方の本体側縁寄りの上側部分に位置させて、上下に長い収納用のスリット部が設けられると共に、該左右の本体側縁の内の他方の本体側縁寄りの下側部分に位置させて、上下に長い取出用のスリット部が設けられている。前記袋本体は、該収納袋形成片の左右の側縁部分相互が縫製されることによって形成された筒状体の上下が封止されて収納袋が形成され、該収納袋の周面部の上側部分に位置させて、該収納袋内に物品を収納するための入れ口を形成する、拡開可能の前記収納用のスリット部が配置され、該周面部の下側部分に位置させて、該収納袋から物品を取り出すための取り出し口を形成する、拡開可能の前記取出用のスリット部が配置されていることを特徴とするものである。
【００１０】
前記各ネット状収納袋において、前記取出用のスリット部の上下方向の少なくとも中央部位相互を止着具で着脱可能とするのがよい。
【００１１】
前記収納袋形成片を用いてなるネット状収納袋において、前記取出用のスリット部は、開口縁部の全体が、厚地編部からなる縁取面部で縁取られたものとし、該厚地編部は、その左右対向する縁部分の上下中央部位で、該取出用のスリット部の外側に向けて膨出する膨出面部が形成され、該膨出面部と前記縁取面部とからなる取り付け面部が設けられたものとし、該左右の取り付け面部の何れか一方の外面と他方の内面に、該外面の範囲と該内面の範囲に納まるように、ホックを構成する雄ホック片、雌ホック片を固定するのがよい。
【００１２】
該ネット状収納袋において、前記筒状体の上下の封止は、該筒状体の上の部分と下の部分を夫々結ぶことによって行なうのが簡単である。
【００１３】
前記各ネット状収納袋において、前記袋本体の上端部分に吊下用係合部を設けるのがよい。より好ましくは、前記袋本体の上端部分に、吊り紐としての吊下用係合部を設けるのがよい。
【００１４】
本考案に係る収納袋形成片は、一枚のレース編地片からなり、上下対称の外形を呈し、中間部の上下端に上部分と下部分が連設されてなる本体片を有し、該上部分は、上端に向けて先細化し、該上端は、左右方向に直線状を呈する水平縁とされ、該上部分の左右の側縁は傾斜縁として形成されると共に、該下部分は、下端に向けて先細化し、該下端は、左右方向に直線状を呈する水平縁とされ、該下部分の左右の側縁は傾斜縁として形成されており、前記本体片の左右の本体側縁の内の一方の本体側縁寄りの上側部分に位置させて、上下に長い収納用のスリット部が設けられると共に、前記左右の本体側縁の内の他方の本体側縁寄りの下側部分に位置させて、上下に長い取出用のスリット部が設けられていることを特徴とするものである。
【考案の効果】
【００１５】
本考案は以下の如き優れた効果を奏する。
(1) 本考案に係るネット状収納袋は、物品を良好に保存する機能を有することに加えて、物品が収納された状態で室内インテリアとしても使用できる。
より具体的には、本考案によるときは、玉葱やじゃがいも、ニンニク、生姜等の根菜類、リンゴや梨等の果物類、更には小物類等の物品を、収納袋の通気性によって良好に保存できる。加えて、これらの物品を、上下方向一列のスマートな積重収納状態で保存できることから、ネット状袋が横に大きく膨れた塊状の収納状態となる等の従来の保存方法とは全く異なり、物品が収納された状態で個性的な室内インテリアとしても使用できる。
【００１６】
(2) そして本考案に係るネット状収納袋は、上下に収納用のスリット部と取出用のスリット部を有し、袋本体内にその上から収納した物品をその下から容易に取り出せる仕組みであるため、特に、玉葱等の根菜類、リンゴや梨等の果物類の場合は、下に位置するものは上からの荷重で傷みやすいのであるが、収納されている玉葱等を傷みが少ない状態で順次消費できる利点がある。又、収納袋がネット状を呈するため、収納物の保存状態を目視で容易に確認できる。
【００１７】
(3) 前記収納袋の周面部の正面側の部分に、収納される物品を表示する文字や図形を付すと共に、該周面部の背面側の部分に、周方向に位置をずらして収納用のスリット部と取出用のスリット部を設ける構成を採用する場合は、収納袋の大きさに応じてその用途を明示できる。そして、収納袋に物品を収納して該文字や図形を手前に位置させることにより、上下のスリット部が目視されにくい状態となり、又、これらの文字や図形がネット状収納袋のデザインの一部ともなって、ネット状収納袋のインテリア性を向上させ得ることとなる。
【００１８】
(4) 前記収納用のスリット部と前記取出用のスリット部を、収納袋の周方向で位置をずらして設ける場合は、上下のスリット部を設けたことによる袋本体の強度低下が生じにくい。
【００１９】
(5) 中間部の上下端に上部分と下部分を連設してなる本体片を有し、該上部分と該下部分が共に、上下端に向けて先細化する如くなされ、該上部分の上端と該下部分の下端が水平縁とされ、該上部分の左右側縁と該下部分の左右側縁が傾斜縁として形成され、且つ、左右の本体側縁の内の一方の本体側縁寄りに前記収納用のスリット部が設けられると共に、左右の本体側縁の内の他方の本体側縁寄りに前記取出用のスリット部が設けられてなる収納袋形成片を以て袋本体を構成する場合は、体裁のよいネット状収納袋を、能率よくコスト低減を図って製造し得ることとなる。
そして、袋本体をこのように構成するときは、該上下のスリット部が、該収納袋形成片の側縁部分相互の縫製部の左右に配置された状態となるため、袋本体の強度低下が一層生じにくいネット状収納袋を構成できることになる。
【００２０】
(6) 前記取出用のスリット部の上下方向の少なくとも中央部位相互を止着具で着脱可能に止着する場合は、収納されている物品が該取出用のスリット部から飛び出すのを確実に防止できる。
【００２１】
(7) 前記止着具として、雄ホック片と雌ホック片とからなるホックを用いる場合、前記取出用のスリット部の左右対向する縁部分に取り付け面部を設け、該左右の取り付け面部に雄ホック片、雌ホック片を縫着することにより、該上下方向中央部位相互を該ホックで止着した状態で、該ホックが取り付け面部の内側に隠れた状態となり得る。かかることから、止着状態にあるネット状収納袋の見栄を向上させ得ることとなる。
【００２２】
(8) 上記筒状体の上の部分と下の部分を夫々結ぶことによって、筒状体の上下が封止された状態とすることにより、筒状体の上下の封止作業を容易且つ確実に行うことができる。  
【００２３】
(9) 前記袋本体の上端部分に、吊り紐等としての吊下用係合部を設けることにより、袋本体の吊り下げを、容易且つ体裁よく行うことができ、ネット状収納袋のインテリア性を向上させ得る。
【００２４】
(10)本考案に係る収納袋形成片によるときは、体裁のよいネット状収納袋を、能率よくコスト低減を図って製造し得ることとなる。
【実施例１】
【００２５】
図１〜２において本考案に係るネット状収納袋１は、例えば玉葱２ａとしての物品２を、上下方向一列の積重状態で収納して保存するために応用されており、上下に長いネット状の袋本体３を用いて構成されている。該袋本体３は、筒状体４の上下が封止されて収納袋８が形成され、該収納袋８の直径は、収納される玉葱２ａの直径程度に設定されている。そして、該収納袋８の周面部５の上側部分６に位置させて、該収容袋８内に玉葱２ａを収納するための入れ口７ａ（図１０）を形成する、拡開可能の収納用のスリット部（例えば１２ｃｍ程度の上下長さを有する）７が設けられている。又、該周面部５の下側部分９に位置させて、前記収容袋８から玉葱２ａを取り出すための取り出し口１０ａ（図１１）を形成する、拡開可能の取出用のスリット部（例えば１２ｃｍ程度の上下長さを有する）１０が設けられている。そして本実施例においては、図３に示すように、該取出用のスリット部１０の上下方向中央部位１１，１２相互が、止着具１３で着脱可能となされ、該止着具１３で止着された状態で、前記袋本体３内に収納状態にある玉葱２ａが該取出用のスリット部１０から飛び出すのを確実に防止できる。該止着具１３は、例えば図２（Ｂ）に示すような、円板状を呈するプラスチック製の雄ホック片１５と円板状を呈するプラスチック製の雌ホック片１６とからなるホック１３ａを以て構成されている。又、袋本体３の上端部分１９には吊下用係合部２０が設けられている。
【００２６】
前記袋本体３は本実施例においては、図４に示すようなレース編地からなる収納袋形成片２１を用いて形成されている。該収納袋形成片２１は、例えば、ポリエステルやナイロン等の合成繊維を用いて形成されており、上下対称の外形を呈し、一点鎖線で示す上下の仮想境界線１８ａ，１８ｂ間の部分をなす中間部２２の上下端２３，２５に上部分２６と下部分２７が連設されてなる本体片２４を有する。該上部分２６と該下部分２７は共に、先端（上端２９又は下端３０）に向けて先細化し、その上下端は、左右方向に直線状を呈する水平縁３１，３２として形成されている。該上部分２６の左右の側縁３３，３５、該下部分２７の左右の側縁３６，３７は夫々、傾斜縁として形成されている。本実施例においては、外方に突に緩く湾曲する円弧状の傾斜縁として形成されている。そして、該収納袋形成片２１の上下長さＬ１、前記中間部２２の上下長さＬ２、中間部２２の左右幅Ｌ３、前記水平縁３１，３２の長さＬ４は、形成せんとする前記袋本体３のサイズを考慮して、本実施例においては夫々、７４２ｍｍ、１９５ｍｍ、２７０ｍｍ、１５０ｍｍに設定されている。
【００２７】
そして、前記収納袋形成片２１の左右の本体側縁３９，４０の内の一方、例えば右の本体側縁４０寄りで且つ該収納袋形成片２１の上側部分に位置させて、上下に長い前記収納用のスリット部７が設けられている。又、該収納用のスリット部７の開口縁部４１の全体は、図４（Ｂ）に示すように、厚地編部からなる縁取面部４２で縁取られて補強されている。そして該縁取面部４２は、その左右対向する縁部分４２ａ，４２ｂの上下中央部位において、該収納用のスリット部７の外側に向けて膨出された膨出面部（本実施例においては、半円弧状に膨出された膨出面部）４３，４３が形成され、該膨出面部４３と前記縁取面部４２とからなる取り付け面部４５が設けられている。
【００２８】
本実施例においては、該収納用のスリット部７の上下長さが前記のように１２ｃｍ程度に設定されると共に、該収納用のスリット部７のスリット上端４６と前記収納袋形成片２１の前記上の水平縁３１との間の長さＬ５は、後述のように（図８）、筒状体４の上端５５と該収納用のスリット部７のスリット上端４６との間をなす上の部分５６を結んで上の結び部５７（図１〜２）を形成できるように、例えば１９５ｍｍに設定され、該収納用のスリット部７と前記右の本体側縁４０との間の長さＬ６は例えば３８ｍｍに設定されている。
【００２９】
又、前記収納袋形成片２１の左右の本体側縁３９，４０の内の他方の本体側縁３９寄りで且つ該収納袋形成片２１の下側部分に位置させて、上下に長い前記取出用のスリット部１０が設けられている。又、該取出用のスリット部１０の開口縁部４４の全体は、厚地編部からなる縁取面部４７で縁取られて補強されている。そして該縁取面部４７は、その左右対向する縁部分４７ａ，４７ｂの上下中央部位において、該取出用のスリット部１０の外側に向けて膨出された膨出面部（本実施例においては、半円弧状に膨出された膨出面部）４９，４９が形成され、該膨出面部４９と前記縁取面部４７とからなる取り付け面部５０が設けられている。
【００３０】
本実施例においては、該取出用のスリット部１０の上下長さが前記のように１２ｃｍ程度に設定されると共に、該取出用のスリット部１０のスリット下端５１と前記下の水平縁３２との間の長さＬ７は、後述のように（図８）、筒状体４の下端５８と該取出用のスリット部１０の下端５１との間をなす下の部分５２を結んで下の結び部５３（図１〜２）を形成できるように、例えば１９５ｍｍに設定されている。又、該取出用のスリット部１０と前記左の本体側縁３９との間の長さＬ８は例えば３８ｍｍに設定されている。
【００３１】
そして前記収納袋形成片２１の左右方向中央部分には、上下に長い配置で、前記収納袋８内に収納される物品２（本実施例においては玉葱２ａ）を明示するために、玉葱を意味する欧文字「ＯＮＩＯＮ」５８ａのアルファベット文字「Ｏ」「Ｎ」「Ｉ」「Ｏ」「Ｎ」が、上から下に向けて、厚地編部を以て太字で大きく表示されており、ネット状収納袋１のデザインの一部を構成する。
【００３２】
かかる構成を有する前記収納袋形成片２１を用いて前記袋本体３を製造するには、本実施例においては先ず、前記収納袋形成片２１の左右の側縁部分６６，６７相互を、図５（Ａ）に示すように、形成せんとする筒状体４の内側に向けて重ね合わせ、且つその重合部６９の基端縁７０を上下連続して縫製する（縫製部を符号７８で示す）ことにより、図６に示すような、上下に長いネット状の前記筒状体４を形成する。この際、図５（Ｂ）に示すように、前記欧文字「ＯＮＩＯＮ」を内側に向けて該収納袋形成片２１を折り曲げて左右の側縁部６６，６７相互を重ね合わせ、その後、その基端縁７０を上下連続して縫製し（縫製部を符号７８で示す）、得られた筒状を、裏返しする。このようにして形成された筒状体４は、その中間の部分７１は直径が同一の円筒状に形成されると共に、その上下の部分５６，５２は、先端（上端５５又は下端５８）に向けて次第に細くなる円錐筒状に形成される。
【００３３】
その後、図７、図６（Ｂ）に示すように、前記取出用のスリット部１０の前記左右の取り付け面部５０，５０の一方の取り付け面部５０ａの内面５９に、前記雌ホック片１６の円板状台座６０を縫着すると共に、他方の取り付け面部５０ｂの外面６１に、前記雄ホック片１５の円板状台座６２を縫着する。このように縫着された状態で、該円板状台座６０，６２は、該取り付け面部５０ａ，５０ｂからはみ出ない。そして図８に示すように、該雄ホック片１５の係合突部６３と該雌ホック片１６の係合凹部６５とが凹凸嵌合状態で係合することより、図３に示すように、前記取出用のスリット部１０がその上下方向中央部位１１，１２で止着されるように構成され、これよって、収納されている玉葱２ａが該取出用のスリット部１０から飛び出すのが確実に防止される。
【００３４】
このように構成された筒状体４の前記上の部分５６と前記下の部分５２を丸結びして上の結び部５７（図１〜２）と下の結び部５３（図１〜２）を形成することより、筒状体４の上下が封止状態となって、図２に示すように、玉葱２ａを上下方向一列の積重状態で収納するための収納袋（その直径は、玉葱の直径程度）８が構成される。本実施例においては、該袋本体３の上端部分１９に、吊り紐２０ａとしての前記吊下用係合部２０が設けられている。該袋本体３の上端部分１９への吊り紐２０ａの取り付けは、例えば図９に示すように、該吊り紐２０ａの下端７６を該上の部分５６に結着し、この状態で該上の部分５６を丸結びすることによって行なうことができる。かかる上下の結び部５７，５３（図１〜２）は、ネット状収納袋１のデザインの一部を構成している。
【００３５】
本実施例においては、前記のように、前記上部分２６と前記下部分２７を構成する左右の側縁３３，３５、３６，３７が、外方に突に緩く湾曲する円弧状の傾斜縁として形成されているため、前記のように形成された収納袋８の上の部分５６と下の部分５２は、端部５６ａ，５２ａに向けて次第に細くなる円錐筒状が自然な形態で形成されている。そのため、図１０に示すように、前記収納用のスリット部７を拡開して形成した入れ口７ａを通して玉葱２ａを収納袋８に収納する際や、図１１に示すように、前記取出用のスリット部１０を拡開して形成した取り出し口１０ａから玉葱２ａを取り出す際に、その収納や取り出しが容易であり、最下段の玉葱２ａ１を収納袋８の下端部分８ａに体裁良く支持させることができ、又、収納や取り出しの際に、収納袋８に無理をかけない。
【００３６】
又この封止状態で、該袋本体３の周面部５には、図２（Ｂ）に示すように、前記重合部６９の上下方向の縫製部７８の両側に近接して、前記収納用のスリット部７と前記取出用のスリット部１０が形成されることになる。なお本実施例においては、該取出用のスリット部１０のスリット下端５１が前記下の結び部５３から４３ｍｍ程度上に位置し、又、前記収納用のスリット部７のスリット上端４６は、前記上の結び部５７から４３ｍｍ程度下に位置する。
【００３７】
そして前記周面部５の正面側の部分７５には、図２（Ａ）に示すように、収納される物品（玉葱２ａ）を示す欧文字「ＯＮＩＯＮ」５８ａが縦に大きく表示され、袋本体３のデザインの一部を構成すると共に、図１（Ｂ）に示すように、該周面部５の背面側に隠れるように、前記収納用のスリット部７と取出用のスリット部１０が配置された状態となる。  
【００３８】
然して、かかる構成を有する収納袋８内に玉葱２ａを収納するに際しては、図１（Ｂ）に示すように、前記ホック１３ａを止着した状態で、図１０に示すように、前記収納用のスリット部７を開いて入れ口７ａを形成し、該入れ口７ａを通して玉葱２ａを収納袋８内に入れる。これにより玉葱２ａは、図１２に示すように、収納袋８内を落下して前記下の結び部５３で受け止められる。前記のように、取出用のスリット部１０のスリット下端５１が下の結び部５３の稍上側に位置しているため、該玉葱２ａは収納袋８の下端部分８ａで安定的に支持された状態となる。その後、二つ目の玉葱２ａ２を、入れ口７ａを通して収納袋８内に入れると、該玉葱２ａ２は、図１３に示すように、既に収容されている前記玉葱２ａ１上に積み重なった状態となる。
【００３９】
このようにして玉葱２ａを収納袋８内に収納することにより、該収納袋８内で玉葱２ａが上下方向一列の積重状態となる。そして図１（Ｂ）に示すように、前記取出用のスリット部１０の上下方向中央部位相互が前記ホック１３ａで止着されているため、該取出用のスリット部１０から玉葱２ａが飛び出す恐れがない。
【００４０】
このようにして玉葱２ａが収納されたネット状収納袋１を、風通しの良い場所に吊り下げる。例えば図１に示すように、キッチンの壁面７７に設けたフック等の掛止部７９に前記吊り紐２０ａの上端８０を掛着することにより、該ネット状収納袋１を該壁面７７に吊り下げる。このように吊り下げる際、図１（Ａ）に示すように、前記欧文字「ＯＮＩＯＮ」５８ａを手前（正面側）にすると、前記収納用のスリット部７と前記取出用のスリット部１０が背面側に隠れて目立たない。そして、止着状態にある前記ホック１３ａは、図１（Ｂ）に示すように、前記取り付け面部５０ａの内側に隠れた状態となって目立たない。このように吊り下げられた状態で、収納袋８がネット状を呈して通気性に優れるため、玉葱２ａは良好に保存されることとなる。又、袋本体３がメッシュ状であるために、収容されている玉葱等の保存状態を目視で容易に確認できる。
【００４１】
収納袋８に収納されている玉葱２ａを取り出すに際しては、図１１に示すように、前記ホック１３ａの係合状態を解除して前記取出用のスリット部１０を開いて取り出す。その際、最下段にある玉葱２ａ１を取り出すときは、図１４に示すように、収納袋８の下側の部分８１を上に稍絞って該玉葱２ａ１浮き上げて取り出す。このように該収納袋８は、袋内にその上から玉葱２ａを収納し、その下から玉葱２ａを容易に取り出せる仕組みであるため、本来、下に位置するものは上からの荷重で傷みやすいのであるが、収納されている玉葱を傷みが少ない状態で順次消費できることになる。
【００４２】
なお本実施例においては、上下に位置する前記収納用のスリット部７と前記取出用のスリット部１０を、上下方向一直線上で配置するのではなく、収納袋８の周方向に稍位置をずらして配置しているため、上下のスリット部７，１０が上下一直線上で接近することがない。かかることから、上下のスリット部７，１０を設けたことによる袋本体３の強度低下が生じにくい。然も本実施例においては、該上下のスリット部７，１０を、図２（Ｂ）に示すように、上下方向に延長する前記縫製部７８の左右に配置しているため、袋本体３の強度低下を一層招きにくく、耐久性に優れたネット状収納袋１を構成できることになる。又、このように周方向で稍位置をずらすことによって、上下のスリット部７，１０による袋本体のデザイン性を高めることもできる。
【００４３】
図１５は、リンゴ２ｂとしての物品２（図１９）を収納するためのネット状収納袋１を示すものである。前記玉葱用のネット状収納袋１と基本構成は同じであるが、その収納袋８の直径は、リンゴ２ｂの直径を考慮して比較的大きく設定されると共に、袋本体３の上下長さも比較的長く設定されている。又、収納用のスリット部７と取出用のスリット部１０の上下長さは、リンゴ２ｂの収納や取り出しに支障のない長さに設定されている。そして該袋本体３の周面部５の正面側に、収納されるリンゴを表示する欧文字「ＡＰＰＬＥ」５８ｂの各アルファベット文字が上から下に向けて太字で大きく表示され、これが、ネット状収納袋１のデザインの一部を構成している。
【００４４】
又図１６（Ａ）（Ｂ）に示すネット状収納袋１、図１７（Ａ）（Ｂ）に示すネット状収納袋１、図１８（Ａ）（Ｂ）に示すネット状収納袋１は夫々、じゃがいも収納用、ニンニク収納用、生姜収納用のものであり、収納袋８の直径やその長さ、収納用のスリット部７の長さ、取出用のスリット部１０の長さを、夫々の物品の大きさを考慮し、これに適合するように所要に設定している。そして前記と同様に、袋本体３の周面部５の正面側に、収納される物品を示す欧文字「ＰＯＴＡＴＯ」５８ｃ、欧文字「ＧＡＲＬＩＣ」５８ｄ、欧文字「ＧＩＮＧＥＲ」５８ｅの夫々の各アルファベット文字が、上から下に向けて太字で大きく表示され、これが、ネット状収納袋１のデザインの一部を構成している。
【００４５】
図１は、風通しの良い場所、例えばキッチンの壁面７７に、例えば玉葱２ａが収納された１本のネット状収納袋１を前記吊り紐２０ａを介して吊り下げた状態を示すものであり、該ネット状収納袋１は、玉葱を良好に保存するという機能性に加え、上下方向一列に積み重なった玉葱の収納状態がスマートであるため室内インテリアとしての装飾性も具えている。
【００４６】
図１９は、前記５種類のネット状収納袋１，１，１，１，１を、夫々に物品２を収納した状態で、例えば横に並べて吊り下げた状態を示すものである。根菜類等の物品を、分類して体裁よく然もスペースを取らずに収納して保存できるのは勿論のこと、物品２が収納されたネット状収納袋１の集合状態が、全体として纏まりのある装飾性を発揮し、個性的な室内インテリアを構成できることとなる。
【００４７】
特に、これらのネット状収納袋１において、袋本体３と吊り紐２０ａを夫々、青色と黄色、赤色と緑色、黄色と赤色等の色違いの組み合わせとすることにより、又、前記周面部５に施す文字や図形を該周面部５と異色にする等、着色に工夫してカラフル化を図ることにより、室内インテリアとしての装飾性を一層向上させることができる。
【実施例２】
【００４８】
本考案は、前記実施例で示したものに限定されるものでは決してなく、「実用新案登録請求の範囲」の記載内で種々の設計変更が可能であることはいうまでもない。その一例を挙げれば次のようである。
【００４９】
(1) 本考案において前記筒状体４の上下を封止する手段は、前記のように、上下の結び部を形成することによって行う他、筒状体４の上下端を縫製することにより行ってもよい。又、下端が封止され且つ上端が解放した一連編成のレース編地を以て、下端が封止された筒状体４とすることもある。或いは、上端と下端が封止された一連編成のレース編地を以て、上下端が封止された筒状体、即ち収容袋８とすることもある。
【００５０】
(2) 前記収納袋８の周面部５の下側に設けられる取出用のスリット部１０の上下方向の少なくとも中央部位相互を着脱可能に止着する止着具１３としては、前記したホックの他、互いに着脱可能に係着し得る面状ファスナ等を用いて構成することができ、或いは、取出用のスリット部１０の全体をスライドファスナ等で開閉可能としてもよい。
【００５１】
(3) 又、袋本体の上端部分に設けられる吊下用係合部２０は、前記した吊り紐２０ａとして構成する他、壁面等に設けられた掛止部に引っ掛けるための孔部（例えば、鳩目で補強された孔部等）や、図２０に示すような、袋本体３の上部をループ状にして形成したループ状係合部、更には、クリップで挾持される部分等として構成されることもある。
【００５２】
(4) 前記収納袋８は、前記のようにレース編地製とされることの他、通気用の孔の多数が周面部に設けられてなるものを以て構成することもある。
【００５３】
(5) 更に、前記収納袋８をレース編地を以て構成する場合、編糸として、抗菌剤が練り込まれたり含有されてなる編糸を用いることもある。
【００５４】
(6) 本考案に係るネット状収納袋１は前記した根菜類や果物類等の青果物に限らず、例えば、レジ袋を小さく折り畳んだもの等、各種小物類であってもよい。
【００５５】
(7) 前記収納用のスリット部と前記取出用のスリット部は、前記のように収納袋８の周方向で位置をずらして設けることの他、袋本体の強度を損なわない限り、上下方向一直線上で設けることもある。
【図面の簡単な説明】
【００５６】
【図１】本考案に係るネット状収納袋を、玉葱を収納した状態で示す正面図と背面図である。
【図２】玉葱収納用のネット状収納袋を示す正面図と背面図である。
【図３】取出用のスリット部の長さ方向中央部位相互をホックで止着した状態を示す説明図である。
【図４】収納袋形成片を示す正面図である。
【図５】収納袋形成片の左右の側縁部相互を重ね合わせ、その重合部の基端縁を縫製する作業工程を説明する断面図である。
【図６】側縁部相互を縫製することにより形成された上下に長いネット状の筒状体を示す斜視図である。
【図７】取出用のスリット部の左右の取り付け面部に雌ホック片と雄ホック片を縫着した状態を示す説明図である。
【図８】雄ホック片と雌ホック片とを凹凸嵌合状態で係合させた状態を示す断面図である。
【図９】吊り紐の下端を筒状体の上の部分に結着した状態を示す説明図である。
【図１０】収納用のスリット部を通して玉葱を収納袋に入れる要領を説明する斜視図である。
【図１１】取出用のスリット部から玉葱を取り出す要領を説明する斜視図である。
【図１２】収納袋内に一つ目の玉葱を収納した状態を示す一部断面正面図である。
【図１３】収納袋内に二つ目の玉葱を収納した状態を示す一部断面正面図である。
【図１４】最下段にある玉葱を取り出す要領を説明する斜視図である。
【図１５】リンゴ収納用のネット状収納袋を示す正面図と背面図である。
【図１６】じゃがいも収納用のネット状収納袋を示す正面図と背面図である。
【図１７】ニンニク収納用のネット状収納袋を示す正面図と背面図である。
【図１８】生姜収納用のネット状収納袋を示す正面図と背面図である。
【図１９】複数のネット状収納袋を、夫々に物品を収納した状態で横に並べて吊り下げた状態を示す正面図である。
【図２０】吊下用係合部の他の態様を示す側面図である。
【図２１】ネット袋に玉葱を収納して吊り下げ状態で保存する従来の保存方法の問題点を説明する斜視図である。
【符号の説明】
【００５７】
１  ネット状収納袋
２  物品
３  袋本体
４  筒状体
５  周面部
７  収納用のスリット部
８  収納袋
１０  取出用のスリット部
１３  止着具
２０  吊下用係合部
２１  収納袋形成片
２２  中間部
２６  上部分
２７  下部分
２９  上端
３０  下端
３１  水平縁
３２  水平縁
３３  上部分の側縁
３５  上部分の側縁
３６  下部分の側縁
３７  下部分の側縁
３９  本体側縁
４０  本体側縁
４５  取り付け面部
５２  下の部分
５３  下の結び部
５６  上の部分
５７  上の結び部
６６  側縁部
６７  側縁部
【図１】
0003135958.tif 000003
【図２】
0003135958.tif 000004
【図３】
0003135958.tif 000005
【図４】
0003135958.tif 000006
【図５】
0003135958.tif 000007
【図６】
0003135958.tif 000008
【図７】
0003135958.tif 000009
【図８】
0003135958.tif 000010
【図９】
0003135958.tif 000011
【図１０】
0003135958.tif 000012
【図１１】
0003135958.tif 000013
【図１２】
0003135958.tif 000014
【図１３】
0003135958.tif 000015
【図１４】
0003135958.tif 000016
【図１５】
0003135958.tif 000017
【図１６】
0003135958.tif 000018
【図１７】
0003135958.tif 000019
【図１８】
0003135958.tif 000020
【図１９】
0003135958.tif 000021
【図２０】
0003135958.tif 000022
【図２１】
0003135958.tif 000023